(57)【特許請求の範囲】
【請求項１】
背面に火災感知器情報表示を表示する火災感知器を取り付けて、前記火災感知器の感度を試験する感度試験器において、
前記火災感知器を取り付けた状態で、前記火災感知器の背面である取り付け面に記載された前記火災感知器情報表示に対向する位置に、確認窓を設け、
前記確認窓を介して前記火災感知器情報表示を確認可能としたことを特徴とする感度試験器。
【請求項２】
火災感知器を取り付けて、前記火災感知器の感度を試験する感度試験器において、
前記火災感知器を取り付けた状態で、前記火災感知器における取り付け面に記載された火災感知器情報表示に対向する位置に、確認窓を設け、
前記確認窓を介して、前記感度試験器の外部から前記火災感知器情報表示を視認可能であり、
前記火災感知器情報表示に記載された火災感知器情報を入力する入力部を備え、
該入力部から入力された火災感知器情報を試験設定情報として感度試験を行うことを特徴とする感度試験器。
【請求項３】
感度試験器と携帯端末とを備えた感度試験システムであって、
火災感知器を取り付けて、前記火災感知器の感度を試験する前記感度試験器は、
前記火災感知器を取り付けた状態で、前記火災感知器における取り付け面に記載された火災感知器情報表示に対向する位置に、確認窓を設け、
前記確認窓を介して、前記感度試験器の外部から前記火災感知器情報表示を視認可能であり、
前記携帯端末へ入力した火災感知器情報を、試験設定情報として感度試験を行うことを特徴とする感度試験システム。
【請求項４】
前記感度試験器は、前記確認窓を介して、前記感度試験器の外部から前記火災感知器情報表示を視認可能とし、
前記携帯端末のカメラにより撮影された前記火災感知器情報表示を自動認識することにより火災感知器情報が前記携帯端末へ入力され、
前記火災感知器情報を、試験設定情報として感度試験を行うことを特徴とする請求項３の感度試験システム。
【請求項５】
火災感知器を取り付けて、前記火災感知器の感度を試験する感度試験器において、
前記火災感知器を取り付けた状態で、前記火災感知器における取り付け面に記載された火災感知器情報表示に対向する位置に、確認窓を設け、
さらに、カメラを設け、
前記確認窓を介して前記カメラにより撮影された前記火災感知器情報表示を、自動認識することにより火災感知器情報が入力され、
前記火災感知器情報を、試験設定情報として感度試験を行うことを特徴とする感度試験器。
【請求項６】
前記確認窓にミラーを設け、前記ミラーを介して前記火災感知器情報表示が映る位置に前記カメラを設けたことを特徴とする請求項５の感度試験器。
【発明の詳細な説明】
【技術分野】
【０００１】
本発明は、火災感知器の感度を試験する感度試験器に関する。
【背景技術】
【０００２】
火災感知器、例えば煙感知器には、加煙による作動試験の他に、一定期間ごとの感度試験が義務付けられている。感度試験は火災感知器に電圧を印加して、火災発報するときの電圧を調べる試験である。感度試験時には、作業者は、警戒区域に設置されている火災感知器を天井のベースから取り外して感度試験器の測定用ベースに取り付け、火災感知器にテスト電圧を供給して試験を行う。
【０００３】
感度試験器は、火災感知器に端子を接触させて、火災感知器の火災判断回路に入力された火災検出出力電圧（ノイズ出力電圧）に、テスト電圧の電圧レベルを、予め設定された一定範囲（テスト電圧スイープ範囲、例えば、０．２Ｖ〜０．６Ｖ）でスイープして重畳させる。火災感知器の火災判断回路（図示せず）は、入力した重畳電圧（ノイズ出力電圧＋テスト電圧）が基準レベル以上となると、火災発報信号（略短絡電流）を出力する。感度試験器は、火災検出回路（図示せず）によって、火災感知器の火災判断回路（図示せず）から出力される火災発報信号（略短絡電流）を検出して、火災感知器が火災発報したことを検出する。そして、火災発報したときのテスト電圧を、感度電圧とする。この感度電圧が、初期感度電圧に対して所定の電圧範囲（合格基準範囲、例えば、初期感度電圧プラスマイナス１０％の範囲）にあれば、火災感知器が正常であると判断し、感度電圧が合格基準範囲外であれば、火災感知器が異常であると判断する。火災感知器の初期感度電圧等は、火災感知器の背面に貼り付けられた銘板に記載されているので、試験を行う前に作業者が感度試験器に入力する。テスト電圧スイープ範囲の最初の電圧値は、初期感度電圧により変えることができる（特許文献１参照）。
【先行技術文献】
【特許文献】
【０００４】
【特許文献１】特開２００９−１６９８１９号公報
【発明の概要】
【発明が解決しようとする課題】
【０００５】
作業者は、感度試験器の測定用ベースに火災感知器を取り付けて感度試験を行うが、上述したように、その際に初期感度電圧等の火災感知器情報を感度試験器に入力する必要がある。そのため、作業者は、火災感知器情報を火災感知器の背面に張り付けた銘板に記された火災感知器情報表示から読み取って感度試験器に入力する。しかし、火災感知器の背面は取付面であるため、火災感知器を感度試験器の測定用ベースに取り付けると、火災感知器の背面に記載されている火災感知器情報表示が見えなくなってしまう。そのため作業者は、測定用ベースに取り付ける前に、銘板に記載された初期感度電圧等の火災感知器情報表示を読み取って入力する必要がある。このように作業をすると、読み取り忘れた場合には、火災感知器を測定用ベースから取り外して改めて確認しなければならず、作業が非効率的であった。感度試験は建物に取り付けられた全ての火災感知器について行うため、このような作業の非効率性は改善することが望ましい。
【０００６】
特許文献１では無接触型ＩＣタグを用いて自動的に入力するため作業者は銘板の火災感知器情報表示を読み取る必要はないが、この技術は火災感知器に無接触型ＩＣタグを取り付けた火災感知器を試験するときにしか利用できず、既に取り付けられている通常の火災感知器を試験する際には利用できない。
【課題を解決するための手段】
【０００７】
本発明は、感度試験器に火災感知器を取り付けた状態でも、火災感知器の取り付け面である背面に記載された初期感度電圧等の火災感知器情報表示を感度試験器等に入力可能として、火災感知器情報の入力作業を効率化し、さらには、火災感知器情報を読み取り可能として入力作業を不要とするものであり、以下の通りのものである。
【０００８】
（１）本発明は、火災感知器を取り付けて、前記火災感知器の感度を試験する感度試験器において、前記火災感知器を取り付けた状態で、前記火災感知器における取り付け面に記載された火災感知器情報表示に対向する位置に、確認窓を設け、前記確認窓を介して前記火災感知器情報表示を確認可能としたことを特徴とする感度試験器である。
【０００９】
（２）また、本発明は、前記確認窓を介して、前記感度試験器の外部から前記火災感知器情報表示を視認可能であり、前記火災感知器情報表示に記載された火災感知器情報を入力する入力部を備え、該入力部から入力された火災感知器情報を試験設定情報として感度試験を行うことを特徴とする（１）の感度試験器である。
【００１０】
（３）また、本発明は、（１）の感度試験器と携帯端末とを備えた感度試験システムであって、前記感度試験器は、前記確認窓を介して、前記感度試験器の外部から前記火災感知器情報表示を視認可能であり、携帯端末へ入力した火災感知器情報を、試験設定情報として感度試験を行うことを特徴とする感度試験システムである。
【００１１】
（４）また、本発明は、前記感度試験器は、前記確認窓を介して、前記感度試験器の外部から前記火災感知器情報表示を視認可能とし、前記携帯端末のカメラにより撮影された前記火災感知器情報表示を自動認識することにより火災感知器情報が携帯端末へ入力され、前記火災感知器情報を、試験設定情報として感度試験を行うことを特徴とする（３）の感度試験システムである。
【００１２】
（５）また、本発明は、カメラを設け、前記確認窓を介して前記カメラにより撮影された前記火災感知器情報表示を、自動認識することにより火災感知器情報が入力され、前記火災感知器情報を、試験設定情報として感度試験を行うことを特徴とする（１）の感度試験器である。
【００１３】
（６）また、本発明は、前記確認窓にミラーを設け、前記ミラーを介して前記火災感知器情報表示が映る位置に前記カメラを設けたことを特徴とする（５）の感度試験器である。
【発明の効果】
【００１４】
本発明の請求項１に記載の構成によると、感度試験器に火災感知器を取り付けた状態でも、火災感知器の背面に記載された初期感度電圧等の火災感知器情報表示から火災感知器情報を得ることができ、入力作業を効率化することができる。
【００１５】
また、本発明の請求項２に記載の構成によると、感度試験器に火災感知器を取り付けた状態で、火災感知器の背面に記載された初期感度電圧等の火災感知器情報表示を感度試験器の外部から見ることができる。そのため、感度感知器へ火災感知器情報を入力する作業を効率化できる。
【００１６】
また、本発明の請求項３に記載の構成によると、例えば携帯端末のタッチパッド等の入力部を利用して、火災感知器情報を入力することができる。さらに、携帯端末で試験結果を試験年月日や作業者名等の情報と共にリスト化したり、リスト化した試験結果を点検会社のサーバーや顧客にインターネット等を経由して送信したりすることができる。
【００１７】
また、本発明の請求項４に記載の構成によると、携帯端末のカメラを利用して火災感知器情報表示を撮影し、表示を自動認識して火災感知器情報を携帯端末に入力することができるため、携帯端末に備わっている機能を利用して火災感知器情報の入力を効率的に行うことができる。
【００１８】
また、本発明の請求項５に記載の構成によると、感度試験器の確認窓にカメラを設けて、撮影した火災感知器情報表示を自動認識することにより、感度試験器に火災感知器を取り付けるだけで火災感知器情報を入力して感度試験を行うことができる。
【００１９】
また、本発明の請求項６に記載の構成によると、感度試験器の確認窓にミラーを設け、ミラーを介して火災感知器情報表示が映る位置にカメラを設けることにより、カメラレンズと火災感知器情報表示の間に距離を確保することができる。そのため、カメラのピントを合わせやすい。さらにレンズから撮像デバイスまでの距離が長い奥行きのあるカメラを使用することができる。
【図面の簡単な説明】
【００２０】
【図１】実施例１の感度試験器１を示す図。
【図２】火災感知器２を取り付けた実施例１の感度試験器１を示す図。
【図３】実施例２の感度試験器１１を示す図。
【図４】火災感知器２を取り付けた実施例２の感度試験器１１を示す図。
【図５】実施例２の感度試験器１１と携帯端末の動作等を表す図。
【図６】火災感知器２１を取り付けた変形例の感度試験器１１を示す図。
【図７】実施例３の感度試験器１２を示す図。
【発明を実施するための形態】
【実施例１】
【００２１】
図１は、実施例１の感度試験器１を示し、図１（ａ）は感度試験器１の斜視図、図１（ｂ）は正面図、図１（ｃ）は背面図を示す。図１（ｂ）の３は測定用ベース、４は刃受金具、５１，５２は端子、６は確認窓、７は表示部、８は電源・決定ボタン、９は十字キーであり、電源・決定ボタン８及び十字キー９は、入力部の一例である。また、図１（ｃ）の６は背面から見た確認窓である。
【００２２】
図２は、火災感知器２を取り付けた実施例１の感度試験器１を示す。図１と同様に、図２（ａ）は火災感知器２を取り付けた実施例１の感度試験器１の斜視図、図２（ｂ）は正面図、図２（ｃ）は背面図を示す。６は感度試験器１の背面から見た確認窓である。
【００２３】
図１の測定用ベース３は、感度試験を行う火災感知器２を取り付ける部分である。刃受金具４は火災感知器２の取り付け面である背面に設けた刃金具（図示せず）と噛み合って火災感知器２を保持する。また、刃受金具４は、刃金具（図示せず）を介して、火災感知器２に電力を供給するとともに、火災感知器２からの火災発報信号（略短絡電流）を受信する。感度試験器１の端子５１，５２はテスト電圧を火災感知器２に送る。実施例１の感度試験器１では、接点の位置が異なる２種類の火災感知器２の試験を行うことができるように、端子５１と端子５２の２つの端子セットを備えている。また、確認窓６は感度試験器１の正面側から背面側に貫通した貫通孔であり、火災感知器２を取り付けた際にテスト電圧等の火災感知器情報表示が対向する位置に設けられている。そして、確認窓６を介して、感度試験器の外部から火災感知器情報を視認して確認することができる。表示部７は液晶表示装置で構成され、入力された初期感度電圧や試験結果等が表示される。電源・決定ボタン８は、長押しにより電源を入れたり切ったりすることができる。また、短押しにより入力値を決定する。十字キー９は入力部であり、左右の矢印キーで入力桁を移動し、上下の矢印キーで数値を増減する。
【００２４】
次に、感度試験の行い方について説明する。
まず作業者は、電源・決定ボタン８を長押しして、感度試験器１の電源を入れる。次に、天井のベースから取り外した火災感知器２を、図１（ａ）及び図１（ｂ）に示されている感度試験器１の測定用ベース３に取り付けて、図２の状態とする。この時、火災感知器２の背面に設けた刃金具（図示せず）が感度試験器１の刃受金具４に嵌め込まれると同時に、火災感知器２の背面にある接点（図示せず）に端子５１か端子５２の何れかが接触する。
【００２５】
この状態で感度試験器１の背面から確認窓６を覗くと、図２（ｃ）のように火災感知器２の背面の銘板に記載された初期感度電圧等の火災感知器情報表示が見えるので、作業者は火災感知器情報を読み取る。確認窓６は貫通孔になっているため、作業者は火災感知器２を感度試験器１に取り付けた状態で、確認窓６を介して火災感知器２の銘板に記載された火災感知器情報表示を直接的に視認可能であって、確認可能である。そして作業者は、十字キー９を用いて初期感度電圧を入力し、電源・決定ボタン８を短押して入力値を決定する。そうすると、設定した初期感度電圧を試験設定情報として感度試験が始まる。
【００２６】
感度試験器１は、端子５１または端子５２を介して徐々に変化したテスト電圧を火災感知器２に供給し、火災感知器２を火災発報させる。
つまり、背景技術欄で説明した通り、火災感知器２の火災判断回路（図示せず）は、入力した重畳電圧（ノイズ出力電圧＋テスト電圧）が基準レベル以上となると、一対の刃金具（図示せず）間に、火災発報信号（略短絡電流）を出力する。感度試験器１は、一対の刃受金具４間に、火災検出回路（図示せず）が接続されており、火災検出回路（図示せず）は、火災感知器の火災判断回路（図示せず）から出力される火災発報信号（略短絡電流）を検出して、火災感知器２が火災発報したことを検出する。
そして、感度試験器１は、火災発報したときのテスト電圧値である感度電圧を得る。感度電圧が、初期感度電圧のプラスマイナス範囲である合格基準範囲内であれば正常であると判断し、合格基準範囲外であれば異常と判断する。
【００２７】
図２（ｃ）の確認窓６の中に示されているように、銘板に記載されているテストのための火災感知器情報表示が初期感度電圧０．４８Ｖである場合は、作業者が十字キー９を用いて左右の矢印キーで入力桁を移動し、上下の矢印キーで数値を増減して、表示部７の表示を０．４８に合わせる。そして、電源・決定ボタン８を短押しする。
【００２８】
そうすると、予め設定された電圧範囲、例えば０．２Ｖから０．６Ｖにスイープしながら、テスト電圧を感度試験器１から火災感知器２に供給する。そうすると火災感知器２は火災発報し、そのときの発報電圧値が得られる。感度試験器１は、発報電圧値が初期感度電圧である０．４８Ｖの合格基準範囲、例えばプラスマイナス１０％の範囲内であれば正常と判断し、０．４８Ｖのプラスマイナス１０％の範囲を外れていれば異常と判断する。
【００２９】
感度試験が終了すると、感度試験器１の表示部７に試験結果が表示されるとともに音でも報知される。試験結果が正常であるならば、「感度試験結果：正常」と表示され「ピッ」と短く音が鳴るが、もしも異常であるならば、「感度試験結果：要交換」と表示され「ピーピーピー」と長く音が鳴る。
【００３０】
実施例１では、十字キー９を用いて初期感度電圧を入力するが、十字キー９を火災感知器２の機種（火災感知器情報の一例）を入力するために用いることもできる。この場合には、各機種に対応する感度電圧の合格基準範囲（初期感度電圧のプラスマイナス範囲）等の火災感知器情報が感度試験器に記憶されており、入力された機種に応じて、感度電圧の合格基準範囲等を設定することができる。例えば、感度電圧の合格基準範囲が機種により異なる場合には、機種を入力することは有用である。
そのため、火災感知器２の背面の銘板は、火災感知器情報として、初期感度電圧の他に、火災感知器２の機種名などが記載されるものであってもよい。
【００３１】
また、実施例１では、感度試験器１の正面側に表示部７、電源・決定ボタン８、十字キー９を設けたが、背面側に設けてもよい。そうすると、作業者は確認窓６を介して銘板を見ながら初期感度電圧等の入力を行うことができる。
【実施例２】
【００３２】
実施例１では、感度試験器１に設けた十字キー９と電源・決定ボタン８を用いて火災感知器情報を入力したが、携帯端末（図示せず）を用いて入力することもできる。感度試験器と携帯端末を備えた感度試験システムを実施例２として説明する。
【００３３】
図３は、実施例２の感度試験器１１を示し、図３（ａ）は感度試験器１の斜視図、図３（ｂ）は正面図、図３（ｃ）は背面図を示す。図３（ｂ）の３は測定用ベースであり、その中の構成は図１（ｂ）と同様である。８１は電源ボタンである。また、図３（ｃ）の６は背面から見た確認窓である。
【００３４】
図４は、火災感知器２を取り付けた実施例２の感度試験器１１を示す。図３と同様に、図４（ａ）は火災感知器２を取り付けた実施例２の感度試験器１１の斜視図、図４（ｂ）は正面図、図４（ｃ）は背面図を示す。６は感度試験器１の背面から見た確認窓であり、外部から確認窓６の中に、火災感知器２の背面に表示された初期感度電圧等を視認することができる。
【００３５】
実施例２では、測定用ベース３の下部に、電源ボタン８１としての電源を入れたり切ったりするボタンだけが設けられており、表示部７等は設けられていない。表示部７等については携帯端末のものを用いる。
【００３６】
次に感度試験の行い方を、図５を用いて説明する。図５は実施例２の感度試験器１１と携帯端末の動作等を表す。
まず作業者は、電源ボタン８１を押して、感度試験器１１を電源ＯＮとする（Ｓ１）。また、携帯端末のアプリケーションを起動する（Ｓ２）。そうして、Ｂｌｕｅｔｏｏｔｈ（登録商標）のペアリングを行って（Ｓ３）、感度試験器１１と携帯端末を無線で接続する。次に、天井のベースから取り外した火災感知器２を、図３（ａ）及び図３（ｂ）に示されている感度試験器１１の測定用ベース３に取り付けて（Ｓ４）、図４の取り付け状態とする。この時、火災感知器２の刃金具（図示せず）が感度試験器１１の刃受金具４に嵌め込まれると同時に、火災感知器２の背面にある接点（図示せず）に端子５１か端子５２の何れかが接触する。作業者は、図４（ｃ）のように感度試験器１１の背面から確認窓６を介して視認可能な火災感知器情報表示を読み取り、携帯端末から初期感度電圧等の火災感知器情報を入力する（Ｓ５）。入力には携帯端末で通常使用するタッチパッドによる入力を用いる。携帯端末は、入力された火災感知器情報を、Ｂｌｕｅｔｏｏｔｈを介して感度試験器１１に送信する（Ｓ６）。感度試験器１１は火災感知器情報を受信し（Ｓ７）、感度試験を実施する（Ｓ８）。そして、試験が終了すると、試験完了情報と試験結果を送信する（Ｓ９）。携帯端末は、試験完了情報と試験結果を受信し（Ｓ１０）、結果を表示する（Ｓ１１）。以下、感知器取付（Ｓ４）から結果表示（Ｓ１１）を繰り返して、現場の火災感知器２を全て点検する。
【００３７】
＜変形例＞
実施例２では、作業者が感度試験器１１に取り付けられた火災感知器２の火災感知器情報表示を読み取って、携帯端末から入力した。しかし、銘板に火災感知器情報を表すＱＲコード（登録商標）等の二次元バーコードを表示した火災感知器２１と、携帯端末のカメラを用いて火災感知器情報を自動入力してもよい。図６は、火災感知器２１を取り付けた変形例の感度試験器１１を示す。図３，４と同様に、図６（ａ）は火災感知器２１を取り付けた変形例の感度試験器１１の斜視図、図６（ｂ）は正面図、図６（ｃ）は背面図を示す。６は感度試験器１１の背面から見た確認窓であり、外部から確認窓６を介してＱＲコードを視認し、確認することができる。
【００３８】
変形例の感度試験では、図５の火災感知器情報入力（Ｓ５）の際に、図６（ｃ）のように確認窓６から視認されるＱＲコードを、携帯端末のカメラで撮影して画像を自動認識することにより、携帯端末に火災感知器情報を入力する。その他の点は実施例２と同様である。
【００３９】
銘板に表示されたＱＲコードは他の識別コードでもよく、携帯端末のアプリケーションに文字を自動認識するものを用いれば、通常の文字を携帯端末のカメラで撮影して火災感知器情報を自動入力してもよい。
【００４０】
実施例２及びその変形例では、携帯端末に入力した火災感知器情報を感度試験器１１に送信したが、感度試験器１１には送信せずに携帯端末でデータ処理してもよい。この場合は、感度試験器１１から携帯端末に火災発報したときの発報電圧値を送信し、携帯端末で発報電圧値が火災感知器情報により定まる所定の範囲内か否かを判断する。また、実施例２及びその変形例では感度試験器１１に感度試験器１の十字キー９のような入力部を備えていないが、入力部を設けて、携帯端末と感度試験器１１の両方から入力できるようにしてもよい。
【００４１】
実施例２及びその変形例では、さらに、試験年月日や作業者名等の情報を携帯端末のアプリケーションで扱えるようにすれば、試験結果を携帯端末でリスト化することができる。加えて、リスト化した試験結果を、点検会社のサーバーや顧客にインターネット等を経由して送信することもできる。
【実施例３】
【００４２】
実施例２の変形例では携帯端末を用いて撮影した画像を自動認識したが、携帯端末を用いずに火災感知器情報を自動読み取りする例を実施例３として説明する。実施例３は、火災感知器情報表示としてＱＲコードを用いた火災感知器２１の感度試験を行うものである。
【００４３】
図７は、実施例３の感度試験器１２を示す。図７（ａ）は感度試験器１２の斜視図、図７（ｂ）は正面図、図７（ｃ）は背面図を示す。図７（ｂ）の３は測定用ベース、６１は確認窓、６２はカメラ、６３はＬＥＤライト、８は電源・決定ボタン、９１はＱＲコードボタンである。測定用ベース３内の刃受金具４、端子５１，５２、及び測定用ベース３の下の部分の表示部７等の構成は実施例１と同様である。
【００４４】
実施例３では、図７（ｃ）に示すように感度試験器１２の背面に確認窓６１が無い。他の実施例と異なり、確認窓６１は感度試験器１２を貫通しておらず、かわりに凹部を形成している。そして、確認窓６１の底部にはカメラ６２が設けられ、確認窓６１の近傍にはＬＥＤライト６３が設けられている。したがって実施例３においても、確認窓６１を介してカメラ６２で撮影し、自動認識により火災感知器情報表示を確認可能である。なお、ＬＥＤライト６３は、図７（ｂ）に示すように、ＱＲコードが撮像良好となるように、確認窓６１の内側に配置している。また、確認窓６１は、凹部に限らず、感度試験器１２を貫通してもよい。
【００４５】
次に、感度試験の行い方を説明する。
まず作業者は、電源・決定ボタン８を長押しして、感度試験器１２の電源を入れる。次に、天井のベースから取り外した、銘板にＱＲコードで火災感知器情報が表示されている火災感知器２１を、図７（ａ）及び図７（ｂ）に示した感度試験器１２の測定用ベース３に取り付ける。作業者が感度試験器１２のＱＲコードボタン９１を押すと、ＬＥＤライト６３が点灯して火災感知器２１のＱＲコードを照明する。カメラ６２は確認窓６１を介してＱＲコードを撮影し、感度試験器１２で火災感知器情報が自動認識される。そして火災感知器２１の感度試験が行われる。
【００４６】
実施例３ではＱＲコードを用いたが他の識別コードでもよく、感度試験器１２で文字を自動認識するようにして、通常の文字をカメラ６２で撮影して自動認識し、火災感知器情報を感度試験器１２に自動入力してもよい。
【００４７】
実施例３の感度試験器１２には十字キー９も設けられており、ＱＲコード等の自動認識ができない場合や、火災感知器情報を修正したい場合に用いられる。
【００４８】
実施例３では確認窓６１の底部にカメラ６２を設置したが、確認窓６１の底部にあるカメラ６２の位置にミラーを設け、ミラーを介して前記火災感知器情報表示が映る図７（ｂ）の点線の位置に、図面上方へ向けてカメラ６４を設けて撮影しても良い。このように設置すれば、火災感知器２１の銘板からカメラ６４のレンズまでの距離を大きく取れる。そのため、カメラ６４のピントを合わせやすく、さらにレンズから撮像デバイスまでの距離が長いカメラを使用することができる。
【００４９】
また、実施例１乃至３及び実施例２の変形例において、確認窓６は火災感知器２の銘板に表示された火災感知器情報表示を確認可能であれば良いため、前面側に透明部材が嵌め込まれていても良い。また、実施例３と同様に実施例１，２及び実施例２の変形例においても、火災感知器２，２１の銘板に光が当たるように、感度試験器１，１１にＬＥＤライトを設けてもよい。
【符号の説明】
【００５０】
１  感度試験器、１１  感度試験器、１２  感度試験器、２  火災感知器、２１  火災感知器、３  測定用ベース、４  刃受金具、５１  端子、５２  端子、６  確認窓、６１  確認窓、６２  カメラ、６３  ＬＥＤライト、６４  カメラ、７  表示部、８  電源・決定ボタン、８１  電源ボタン、９  十字キー、９１  ＱＲコードボタン
【図１】
0006546820.tif 000002
【図２】
0006546820.tif 000003
【図３】
0006546820.tif 000004
【図４】
0006546820.tif 000005
【図５】
0006546820.tif 000006
【図６】
0006546820.tif 000007
【図７】
0006546820.tif 000008